(57)【特許請求の範囲】
【請求項１】
発光ダイオード回路（１）であって、
第１の発光ダイオード（１１）及び上記第１の発光ダイオードに直列に接続されているしきい値電圧要素を含む第１の枝路を含み、上記第１の枝路は端子間に接続され、
第２の発光ダイオード（１３）を含む第２の枝路を含み、上記第２の枝路は上記端子間に接続され、上記第２の枝路はスイッチ（１４）を更に含み、
第３の発光ダイオード（１５）を含む第３の枝路を更に含み、上記第３の枝路は上記端子間に接続され、上記第３の枝路は別のスイッチ（１６）を更に含み、
上記第１及び第２及び第３の枝路は並列な枝路であり、
上記スイッチ（１４）は、導通状態にある時には上記第２の発光ダイオード（１３）をスイッチオンさせて上記第１の発光ダイオード（１１）をスイッチオフさせ、非導通状態にある時には上記第２の発光ダイオード（１３）をスイッチオフさせて、上記別のスイッチ（１６）もまた非導通状態にある時には上記第１の発光ダイオード（１１）をスイッチオンさせ、
上記別のスイッチ（１６）は、導通状態にある時には上記第３の発光ダイオード（１５）をスイッチオンさせて上記第１の発光ダイオード（１１）をスイッチオフさせ、非導通状態にある時には上記第３の発光ダイオード（１５）をスイッチオフさせ、上記スイッチ（１４）もまた非導通状態にある時には上記第１の発光ダイオード（１１）をスイッチオンさせ、
上記スイッチ及び上記別のスイッチは同時に導通せず、
上記しきい値電圧要素は、上記第１の枝路の最小しきい値電圧を、上記第２及び第３の枝路の最小しきい値電圧より大きくするように構成されていることを特徴とする発光ダイオード回路（１）。
【請求項２】
上記スイッチ（１４）の一方の側は上記端子の一方に接続され、上記スイッチ（１４）の他方の側は上記第２の枝路の上記第２の発光ダイオード（１３）を含む部分の一方の側に接続され、上記第２の枝路の上記部分の他方の側は上記端子の他方に接続されていることを特徴とする請求項１に記載の発光ダイオード回路（１）。
【請求項３】
上記第１及び第２の発光ダイオード（１１、１３）は、異なるカラーを有していることを特徴とする請求項１に記載の発光ダイオード回路（１）。
【請求項４】
上記別のスイッチ（１６）の一方の側は上記端子の一方に接続され、上記別のスイッチ（１６）の他方の側は上記第３の枝路の上記第３の発光ダイオード（１５）を含む部分の一方の側に接続され、上記第３の枝路の上記部分の他方の側は上記端子の他方に接続されていることを特徴とする請求項１に記載の発光ダイオード回路（１）。
【請求項５】
上記第１、第２、及び第３の発光ダイオード（１１、１３、１５）は、異なるカラーを有していることを特徴とする請求項１に記載の発光ダイオード回路（１）。
【請求項６】
上記第１の枝路及び上記第２の枝路は、異なる信号特性を有していることを特徴とする請求項１に記載の発光ダイオード回路（１）。 
【請求項７】
上記異なる信号特性は、異なる最小しきい値電圧を含むことを特徴とする請求項６に記載の発光ダイオード回路（１）。 
【請求項８】
上記第１の枝路はさらなる第１の発光ダイオードを含み、上記第２の枝路はさらなる第２の発光ダイオードを含み、上記第１の及び／または上記さらなる第１の発光ダイオードの列の順方向電圧の和は、上記第２の及び／または上記さらなる第２の発光ダイオードの列の順方向電圧の和より大きいことを特徴とする請求項６に記載の発光ダイオード回路（１）。 
【請求項９】
請求項１に記載の発光ダイオード回路（１）を含み、上記端子間に接続された電源（２２−２５）を更に含むことを特徴とする発光ダイオード配列（２）。
【請求項１０】
上記電源（２２−２５）は、ドライバ回路（２２）を介して駆動される第１及び第２のトランジスタ（２３、２４）を含み、上記第１のトランジスタ（２３）の第１の主電極は電圧源（２１）の一方の側に接続され、上記第１のトランジスタ（２３）の第２の主電極は上記第２のトランジスタ（２４）の第１の主電極と、インダクタ（２５）の一方の側とに接続され、上記第２のトランジスタ（２４）の第２の主電極は上記電圧源（２１）の他方の側と、上記端子の一方に接続され、上記インダクタ（２５）の他方の側は上記端子の他方に接続されていることを特徴とする請求項９に記載の発光ダイオード配列（２）。
【請求項１１】
請求項１に記載の発光ダイオード回路（１）を含むことを特徴とするデバイス（３）。
【請求項１２】
請求項９に記載の発光ダイオード配列（２）を含むことを特徴とするデバイス（３）。
【請求項１３】
発光ダイオード（１１、１３）をスイッチオン、及びスイッチオフさせる方法であって、第１の枝路が第１の発光ダイオード（１１）及び上記第１の発光ダイオードに直列に接続されているしきい値電圧要素を含み、上記第１の枝路が端子間に接続され、第２の枝路が第２の発光ダイオード（１３）を含み、上記第２の枝路が上記端子間に接続され、第３の枝路が第３の発光ダイオード（１５）を含み、上記第３の枝路が上記端子間に接続され、上記第１及び第２及び第３の枝路は並列な枝路であり、上記第２の枝路がスイッチ（１４）を更に含み、上記第３の枝路が別のスイッチ（１６）を更に含み、上記しきい値電圧要素は、上記第１の枝路の最小しきい値電圧を、上記第２及び第３の枝路の最小しきい値電圧より大きくするように構成され、上記方法は、
上記スイッチ（１４）を導通状態にして上記第２の発光ダイオード（１３）をスイッチオンさせ、上記第１の発光ダイオード（１１）をスイッチオフさせるステップと、
上記スイッチ（１４）を非導通状態にして上記第２の発光ダイオード（１３）をスイッチオフさせ、上記別のスイッチ（１６）もまた非導通状態にある時には上記第１の発光ダイオード（１１）をスイッチオンさせるステップと、
上記別のスイッチ（１６）を導通状態にして上記第３の発光ダイオード（１５）をスイッチオンさせ、上記第１の発光ダイオード（１１）をスイッチオフさせるステップと、
上記別のスイッチ（１６）を非導通状態にして上記第３の発光ダイオード（１５）をスイッチオフさせ、上記スイッチ（１４）もまた非導通状態にある時には上記第１の発光ダイオード（１１）をスイッチオンさせるステップと、
を含み、
上記スイッチ及び上記別のスイッチは同時に導通させない、
ことを特徴とする方法。
【請求項１４】
請求項１に記載の発光ダイオード回路において発光ダイオード（１１、１３）をスイッチオン、及びスイッチオフさせるコンピュータプログラムプロダクトであって、請求項１３に記載の諸ステップを遂行させることを特徴とするコンピュータプログラムプロダクト。
【請求項１５】
請求項１４に記載のコンピュータプログラムプロダクトを含むことを特徴とする媒体。
【発明の詳細な説明】
【技術分野】
【０００１】
本発明は、発光ダイオード回路に関し、更に、発光ダイオード回路を含む配列に、発光ダイオード回路を含むまたは発光ダイオード配列を含むデバイスに、方法に、コンピュータプログラムプロダクトに、及び媒体に関する。
【０００２】
これらの発光ダイオード回路の例は、他の回路を排除するものではないが、１つまたはそれ以上の発光ダイオードを含む回路である。このようなデバイスの例は、消費者製品、及び非消費者製品である。
【背景技術】
【０００３】
従来技術の発光ダイオード回路は、幾つかの発光ダイオード回路、及びこれらの発光ダイオード回路を駆動するための幾つかのドライバを開示しているEP 1 320 284 A2によって知られた回路を含む。
【０００４】
従来技術の発光ダイオード回路では、第１の光をユーザに見せる（見せない）ようにするために、例えば第１のスイッチを閉じる（開く）第１の動作によって第１の発光ダイオードをスイッチオン（オフ）させ、第２の光をユーザに見せる（見せない）ようにするために、例えば第２のスイッチを閉じる（開く）第２の動作によって第２の発光ダイオードをスイッチオン（オフ）させる。
【発明の開示】
【発明が解決しようとする課題】
【０００５】
従来技術の発光ダイオード回路は、特に、ユーザに異なる種類の光を見せるために異なる発光ダイオードを活動化（不能化）させるには、異なるスイッチを閉じる（開く）という異なる動作が必要であることが欠点である。この動作は比較的複雑である。
【課題を解決するための手段】
【０００６】
本発明の目的は、特に、比較的簡単な発光ダイオード回路を提供することである。
【０００７】
本発明のさらなる目的は、発光ダイオード回路を含む配列、発光ダイオード回路を含むまたは配列を含むデバイス、方法、コンピュータプログラムプロダクト、及び媒体を提供することであり、これらは比較的簡単である。
【０００８】
本発明によれば、発光ダイオード回路は、
第１の発光ダイオードを含む第１の枝路（もしくは、副回路）を含み、第１の枝路は端子間に接続され、
第２の発光ダイオードを含む第２の枝路を更に含み、第２の枝路は端子間に接続され、第１及び第２の枝路は並列な枝路であり、第２の枝路はスイッチを更に含み、このスイッチは、導通状態にある時には第２の発光ダイオードをスイッチオンさせて第１の発光ダイオードをスイッチオフさせ、非導通状態にある時には第２の発光ダイオードをスイッチオフさせて第１の発光ダイオードをスイッチオンさせる。
【０００９】
第１の枝路がスイッチを含まず、第２の枝路がスイッチを含む２つの並列枝路を導入することによって、１つの、そしてその同じスイッチを介して一方の発光ダイオードを活動化させ、同時に他方の発光ダイオードを不能化させることが可能になる。更に、例えば第２の枝路は、スイッチが導通状態にある時、第１の枝路より小さい電圧しきい値または小さい電流しきい値のような小さい信号しきい値を有するべきである。この場合、スイッチが導通状態にある時には第２の発光ダイオードが動作して第１の発光ダイオードは動作せず、またスイッチが非導通状態にある時にはその逆になる。他のオプションを排除するものではない。
【００１０】
本発明による発光ダイオード回路は、特に、枝路毎に１つのスイッチを含んでいる従来技術の発光ダイオード回路に比してチップ面積が小さくなることがさらなる長所である。
【００１１】
スイッチが導通状態にあること、または非導通状態にあることは、このスイッチのインピーダンスがそれぞれあるしきい値よりも小さいこと、またはこのしきい値よりも大きいことに対応する。
【００１２】
本発明による発光ダイオード回路の実施の形態は、スイッチの一方の側が一方の端子に接続され、スイッチの他方の側が第２の枝路の第２の発光ダイオードを含む部分の一方の側に接続され、第２の枝路の上記部分の他方の側は他方の端子に接続されていることを特徴とする。第２の枝路内にスイッチが存在していても、それが第２の枝路内に１つのスイッチではなく２つのスイッチを設けることを排除するものではない。この場合、第１のスイッチの一方の側を例えば第１の端子に接続し、第１のスイッチの他方の側を例えば第２の枝路の第２の発光ダイオードを含む部分に接続し、上記部分の他方の側を例えば第２のスイッチの一方の側に接続し、第２のスイッチの他方の側を例えば第２の端子に接続し、第１及び第２のスイッチは同時に動作させる。
【００１３】
上述した実施の形態の見方を、狭過ぎないようにすべきである。もし、スイッチの一方の側が一方の端子に接続されていればスイッチの駆動はより容易であるが、例えば、列につき複数の発光ダイオードが存在する場合には、スイッチが直接的にはいずれの端子にも接続されないこともあり得る。
【００１４】
本発明による発光ダイオード回路の一実施の形態は、異なるカラーを有する第１及び第２の発光ダイオードを含むことを特徴とする。この実施の形態は、例えば、発光ダイオードをバックライトとして使用する場合に有利である。
【００１５】
本発明による発光ダイオード回路の一実施の形態は、
第３の発光ダイオードを含む第３の枝路を更に含み、第３の枝路は端子間に接続され、第１及び第２の枝路は並列な枝路であり、第３の枝路は別のスイッチを更に含み、この別のスイッチは、導通状態にある時には第３の発光ダイオードをスイッチオンさせて第１の発光ダイオードをスイッチオフさせ、非導通状態にある時には第３の発光ダイオードをスイッチオフさせ、前記スイッチもまた非導通状態にある場合、第１の発光ダイオードをスイッチオンさせ、前記スイッチが非導通状態にある時には、別のスイッチもまた非導通状態にある場合、第１の発光ダイオードをスイッチオンさせる。有利なことには、前記スイッチ及び別のスイッチを用いることによって、３つの枝路を活動化及び不能化することができる。
【００１６】
本発明による発光ダイオード回路の一実施の形態においては、別のスイッチの一方の側は一方の端子に接続され、別のスイッチの他方の側は第３の枝路の第３の発光ダイオードを含む部分の一方の側に接続されており、第３の枝路の上記部分の他方の側は他方の端子に接続されていることを特徴とする。この場合も、第３の枝路内に上記別のスイッチが存在していても、それが第３の枝路内に１つのスイッチではなく２つのスイッチを設けることを排除するものではない。
【００１７】
上述した実施の形態の見方を、狭過ぎないようにすべきである。もし、別のスイッチの一方の側が一方の端子に接続されていれば別のスイッチの駆動はより容易であるが、例えば、列につき複数の発光ダイオードが存在する場合には、別のスイッチが直接的にいずれの端子にも接続されないこともあり得る。
【００１８】
本発明による発光ダイオード回路の一実施の形態は、異なるカラーを有する第１、第２、及び第３の発光ダイオードを含むことを特徴とする。この実施の形態は、例えば、発光ダイオードをバックライトとして使用する場合に有利である。
【００１９】
本発明による発光ダイオード回路の一実施の形態は、異なる信号特性を有する第１の枝路及び第２の枝路を含むことを特徴とする。異なる信号特性は、例えば、スイッチが導通状態にある時の異なる電圧特性、及び／または異なる電流特性、及び／または異なる電圧・電流特性からなることができるが、それ以外の特性を排除するものではない。勿論、別のスイッチが導通状態にある時にも第２の枝路及び第３の枝路が異なる信号特性を呈することができ、それによって、第１及び第３の枝路の信号特性がそれらのスイッチが導通状態にある時に同一であることも、または同一ではないこともできる。
【００２０】
本発明による発光ダイオード回路の一実施の形態は、異なる信号特性が異なる最小しきい値からなることを特徴とする。好ましくは、スイッチが導通状態にある時の第１の枝路の最小しきい値電圧を、第２の枝路の最小しきい値電圧より大きくする。勿論、好ましくは、別のスイッチが導通状態にある時の第１の枝路の最小しきい値電圧を、第３の枝路の最小しきい値電圧より大きくし、第２及び第３の枝路のスイッチが導通状態にある時のそれらの最小しきい値電圧が同一であることも、同一ではないこともできる。
【００２１】
本発明による発光ダイオード回路の一実施の形態は、第１の枝路がさらなる第１の発光ダイオードを含み、第２の枝路がさらなる第２の発光ダイオードを含み、第１の及び／またはさらなる第１の発光ダイオードの列の順方向電圧の和が、第２の及び／またはさらなる第２の発光ダイオードの列の順方向電圧の和より大きいことを特徴とする。第１の及び／またはさらなる第１の発光ダイオードの列の順方向電圧の和を、第２の及び／またはさらなる第２の発光ダイオードの列の順方向電圧の和より大きくすることによって、スイッチが導通状態にある時、第１の枝路の最小しきい値電圧は第２の枝路の最小しきい値電圧より大きくなる。これは、異なる種類の発光ダイオードを選択することによって、及び／または例えば直列に接続される発光ダイオードの数を異ならせるように選択することによって行うことができる。勿論、第３の枝路がさらなる第３の発光ダイオードを含むことができ、第１の及び／またはさらなる第１の発光ダイオードの列の順方向電圧の和を第３の及び／またはさらなる第３の発光ダイオードの列の順方向電圧の和より大きくし、別のスイッチが導通状態にある時の第１の枝路の最小しきい値電圧を第３の枝路の最小しきい値電圧より大きくなる等々のようにする。
【００２２】
本発明による発光ダイオード回路の一実施の形態は、第１の枝路が第１の発光ダイオードに直列に接続されているしきい値電圧要素を更に含むことを特徴とする。このようなしきい値電圧要素は、例えば第１の枝路の最小しきい値電圧を増加させるための１つまたはそれ以上のダイオード、及び／または１つまたはそれ以上のトランジスタからなるが、他の要素を排除するものではない。
【００２３】
本発明による発光ダイオード配列は、本発明による発光ダイオ−ド回路を含み、更に端子間に接続された電源を含む。
【００２４】
本発明による発光ダイオード配列の一実施の形態は、ドライバ回路を介して駆動される第１及び第２のトランジスタを含み、第１のトランジスタの第１の主電極は電圧源の一方の側に接続され、第１のトランジスタの第２の主電極は第２のトランジスタの第１の主電極と、インダクタの一方の側とに接続され、第２のトランジスタの第２の主電極は電圧源の他方の側と、一方の端子とに接続され、インダクタの他方の側は他方の端子に接続されていることを特徴とする。
【００２５】
第１及び第２のトランジスタに関して、これらのトランジスタと発光ダイオード回路の１つまたはそれ以上のスイッチとの間には重要な差異があることに注目されたい。これらの１つまたはそれ以上のスイッチはトランジスタによって実現することができるが、他の実現手法を排除するものではない。しかしながら、発光ダイオード回路内の１つまたはそれ以上のスイッチは通常は、＜20ｋＨｚのような低周波数でスイッチするが、電源のトランジスタは通常はより高い、＞１ＭＨｚの周波数でスイッチする。
【００２６】
本発明によるデバイスは、本発明による発光ダイオード回路、または本発明による発光ダイオード配列を含む。
【００２７】
本発明による発光ダイオード配列、本発明によるデバイス、本発明による方法、本発明によるコンピュータプログラムプロダクト、及び本発明による媒体の実施の形態は、本発明による発光ダイオード回路の実施の形態に対応している。
【００２８】
本発明は、特に、枝路毎にスイッチを設けてそれらを動作させることが比較的複雑であることに着目してなされ、特に、スイッチを導入し、それが導通状態にある時には第２の発光ダイオードをスイッチオンさせて第１の発光ダイオードをスイッチオフさせ、非導通状態にある時には第２の発光ダイオードをスイッチオフさせて第１の発光ダイオードをスイッチオンさせるという基本的な考えに基づいている。
【００２９】
本発明が提供する発光ダイオード回路は、特に、比較的簡単ではあるが問題を解消する。本発明による発光ダイオード回路は、特に、枝路毎に１つのスイッチを含む従来技術の発光ダイオード回路に比して小さいチップ面積しか必要としないことがさらなる長所である。
【００３０】
本発明のこれらの、及び他の面は、以下に添付図面に基づいて説明する実施の形態から明白になるであろう。
【発明を実施するための最良の形態】
【００３１】
図１に示す本発明による発光ダイオード配列２は、本発明による発光ダイオード回路１及び電圧源２１に接続されている電源２２−２５を含む。電源２２−２５は第１のトランジスタ２３及び第２のトランジスタ２４を含み、これらのトランジスタ２３及び２４はそれらの制御電極に接続されているドライバ回路２２を介して駆動される。第１のトランジスタ２３の第１の主電極は電圧源２１の一方の側に接続され、第１のトランジスタ２３の第２の主電極は第２のトランジスタ２４の第１の主電極と、インダクタ２５の一方の側とに接続され、インダクタ２５の他方の側は第１の端子に接続され、第２のトランジスタ２４の第２の主電極は電圧源２１の他方の側と、インピーダンス２６を介して第２の端子とに接続されている。
【００３２】
発光ダイオード回路１は、端子間に接続されている第１の枝路を含み、第１の枝路は第１の発光ダイオード１１を含む。発光ダイオード回路１は、端子間に接続されている第２の枝路を更に含み、第２の枝路は第２の発光ダイオード１３とスイッチ１４との直列接続を含む。発光ダイオード回路１は、端子間に接続されている第３の枝路を更に含み、第３の枝路は第３の発光ダイオード１５とスイッチ１６との直列接続を含む。
【００３３】
スイッチ１４は、導通状態にある時には第２の発光ダイオード１３をスイッチオンさせて第１の発光ダイオード１１をスイッチオフさせ、非導通状態にある時には別のスイッチ１６も非導通状態にある場合、第２の発光ダイオード１３をスイッチオフさせて第１の発光ダイオード１１をスイッチオンさせる。別のスイッチ１６は、導通状態にある時には、第３の発光ダイオード１５をスイッチオンさせて第１の発光ダイオード１１をスイッチオフさせ、非導通状態にある時には、スイッチ１４も非導通状態にある場合、第３の発光ダイオード１５をスイッチオフさせて第１の発光ダイオード１１をスイッチオンさせる。
【００３４】
３つの並列枝路を導入し、第１の枝路にスイッチを含ませず、第２及び第３の枝路にスイッチ１４、１６を含ませることによって、発光ダイオード１１、１３、１５の１つを活動化させ、同時に２つのスイッチを介して他の発光ダイオード１１、１３、１５を不能化させることができる（より一般的に言えば、ｐ個の副回路またはグループまたは枝路または列と、ｐ−１個のスイッチ）。更に、第２及び第３の枝路は、例えば、スイッチ１４、１６が導通状態にある時に、第１の枝路より小さい電圧しきい値または小さい電流しきい値のようなより小さい信号しきい値を有するべきである。この場合、スイッチ１４、１６の一方が導通状態にある時には、第２または第３の発光ダイオード１３、１５が動作し、第１の発光ダイオード１１は動作しない。両スイッチ１４、１６が非導通状態にある時にはその逆になる。
【００３５】
スイッチ１４、１６が導通状態にあること、または非導通状態にあることは、このスイッチ１４、１６のインピーダンスがそれぞれ、あるしきい値より小さいことに、またはこのしきい値より大きいことに対応する。
【００３６】
例えば、発光ダイオードをバックライトとして使用する場合、第１及び第２及び第３の発光ダイオード１１、１３、１５はそれぞれ、緑、赤、及び青のような異なるカラーを有していることが好ましい。
【００３７】
一方では第１の枝路は、そして他方では第２及び第３の枝路は、異なる最小しきい値電圧のような異なる信号特性を有していることが好ましい。図１に示す各発光ダイオード１１、１３、１５は、枝路毎に同じカラーであることが好ましい２つまたはそれ以上の発光ダイオードによって置換することができる。これら２つまたはそれ以上の発光ダイオードは、枝路毎に、完全な直列構造を、または完全な並列構造を、または部分的に直列かつ部分的に並列な構造を有することができる。
【００３８】
異なる信号特性を実現するために、第１のオプションによれば、異なる種類の発光ダイオードを使用することができる。第２のオプションによれば、直列の第１の発光ダイオードの合計数を、直列の第２の（第３の）発光ダイオードの合計数よりも大きくすることができる。第３のオプションによれば、１つまたはそれ以上の（通常の）ダイオードまたはトランジスタ回路のようなしきい値電圧要素を、第１の発光ダイオード（１つまたは複数）に直列接続することができる。これらのオプションの組合せを排除するものではない。
【００３９】
図２に示す本発明による発光ダイオード配列２は、発光ダイオード回路１内の発光ダイオード１１、１３、１５がそれらの等価回路に置換されていることを除けば、図１に示す回路に対応している。つまり、発光ダイオード１１の場合、電圧源５１（Ｕしきい値）とインピーダンス５２（Ｒ）との直列接続が示されている（ｍ個の第１の発光ダイオード１１の場合、これはｍ・Ｕしきい値及びｍ・Ｒになる）。第２の発光ダイオード１３の場合、電圧源５３（Ｕしきい値）とインピーダンス５４（Ｒ）の直列接続が示されている（ｎ個の第２の発光ダイオード１３の場合、これは、ｎ・Ｕしきい値及びｎ・Ｒになる）。第３の発光ダイオード１５の場合、電圧源５５（Ｕしきい値）とインピーダンス５６（Ｒ）の直列接続が示されている（ｎ個の第３の発光ダイオード１５の場合、これは、ｎ・Ｕしきい値及びｎ・Ｒになる）。
【００４０】
図３に、本発明による発光ダイオード配列２内の、及び配列２のための信号を示す。明らかなように、スイッチ１４が導通状態にある時（“１”で示す）には、第２の発光ダイオード１３が光を放出する。別のスイッチ１６が導通状態にある時（“１”で示す）には、第３の発光ダイオード１５が光を放出する。両スイッチ１４、１６が非導通状態にある時（“０”で示す）には、第１の発光ダイオード１１が光を放出するが、第１及び第２のトランジスタ２３、２４が逆相でスイッチされる動作中に限られる。一方ではスイッチ１４、１６の、そして他方ではトランジスタ２３、２４の異なる周波数も図示されている。
【００４１】
図４に示す本発明によるデバイス３は、本発明による発光ダイオード配列２、及び／または本発明による発光ダイオード回路１を含み、また更に、例えばＡＣ−ＤＣコンバータ４（この実施の形態では、電圧源２１を含む）を含んでいる。換言すれば、このＡＣ−ＤＣコンバータは、例えばＡＣ電圧を受けてそれをＤＣ電圧に変換し、それを電源２２−２５等に供給する。
【００４２】
本発明は、発光ダイオードが導通し光を発生始めるためには、最小の正順方向電圧を必要とするという事実によって説明することができる。この電圧は、ＬＥＤしきい値電圧Ｖthとしても知られている。図２の簡易化回路図では、ＬＥＤの各列は複数のＬＥＤ直列抵抗及び複数のＬＥＤしきい値電圧Ｖthによって表される。赤、緑、及び青ＬＥＤのしきい値電圧が等しく、電源が定電流を発生しているものとすれば、導通中（それぞれのスイッチが活動化されて）の赤または青列の列電圧は、緑ＬＥＤが導通を開始するのに必要な最小電圧より小さくなる（ｍ＞ｎ）。この理由から、青または赤ＬＥＤがオンである時には、たとえ両列が並列に接続され、また緑列がそれ自体のロードスイッチによって能動的に切り離されていなくとも、緑ＬＥＤは如何なる光も放出しない。もし近い将来に緑ＬＥＤの効率が大幅に改善されても（ｍ≒ｎ）、ＧaＮ型ＬＥＤと比較した時のＧaＰ型ＬＥＤの順方向電圧降下の差は、多くの応用において１つのスイッチを省略するのに十分であり得る。
【００４３】
本発明は、カラーシーケンシャルバックライトを有するＬＣＤ−ＴＶのようなデバイスに特に適しているが、可変カラーを有する広範囲のＬＥＤ灯にも、または例えば一般的な照明のために幾つかのＬＥＤの光を混合することによって白光を発生させるＬＥＤ灯にも使用することができる。ＯＬＥＤデバイスの場合、ある程度までの順方向電圧降下は所望の値に調整することができるので、多重列及び／または多重カラーＯＬＥＤ応用に長所を提供する。これは、ＯＬＥＤデバイスの１つの列を、それぞれのスイッチを省略するのに常に十分に高い合計順方向電圧降下となるように設計することを可能にする。
【００４４】
上述した実施の形態は単なる例示に過ぎず本発明を限定するものではなく、また当業者ならば特許請求の範囲から逸脱することなく多くの代替実施の形態を設計することが可能であろうことを理解されたい。特許請求の範囲において、括弧内の参照符号は請求項を限定するものと解釈すべきではない。“を含む”という動詞及びその活用形は、請求項に記載されているもの以外の要素またはステップの存在を排除するものではない。ある要素に先行する“ある”、または“１つの”という冠詞は、複数のこのような要素の存在を排除するものではない。本発明は、幾つかの個別の要素からなるハードウェアによって、及び適当にプログラムされたコンピュータによって実施することができる。幾つかの手段を列挙しているデバイス請求項において、これらの手段の幾つかは１つの、及び同一アイテムのハードウェアによって実現することができる。若干の基準が相互に異なる独立項に記載されているということが、これらの基準を有利に使用できないことを指示してはいない。
【図面の簡単な説明】
【００４５】
【図１】本発明による発光ダイオード回路を含む本発明による発光ダイオード配列の概要図である。
【図２】本発明による等価発光ダイオード回路を含む本発明による発光ダイオード配列の概要図である。
【図３】本発明による発光ダイオード配列内の、及び該配列のための信号を示す図である。
【図４】本発明による発光ダイオード配列及び／または本発明による発光ダイオード回路を含む本発明によるデバイスの概要図である。
【符号の説明】
【００４６】
１  発光ダイオード回路
２  発光ダイオード配列
３  デバイス
４  ＡＣ−ＤＣコンバータ
１１  第１の発光ダイオード
１３  第２の発光ダイオード
１５  第３の発光ダイオード
１４，１６  スイッチ
２１  電圧源
２２  ドライバ回路
２２−２５  電源
２３  第１のトランジスタ
２４  第２のトランジスタ
２５  インダクタ
２６  インピーダンス
５１，５３，５５  電圧源
５２，５４，５６  インピーダンス
【図１】
0005491855.tif 000002
【図２】
0005491855.tif 000003
【図３】
0005491855.tif 000004
【図４】
0005491855.tif 000005